(57)【要約】  受動的な光学ネットワーク（ＰＯＮ）システムのための信号カプラが開示される。上記カプラは、ＰＯＮターミナルとの双方向供給側コミュニケーションのための第１ポートと、スターカプラと、複数の遠隔光学ネットワークユニットＯＮＵからＰＯＮターミナルへの上流信号経路上に設置されるリピータとを具備する。ＯＮＵからの上流側信号は、それぞれの配布側ファイバ上に粗い波長分割マルチプレクサを使用することによりスターカプラを通過して、スターカプラで到着する前に上流の光を取り出して、それをレシーバアレイとマルチプレクサにリダイレクトすることなく、リピータにより受信されます。上記リピータは、それぞれの上流の信号を再生させて、その波長を変化させる。
2008514057.tif 000002
【特許請求の範囲】
【請求項１】
ＰＯＮターミナルでの双方向供給側コミュニケーションのための第１ポートと、
スターカプラと、
それぞれの複数の遠隔ＯＮＵでの双方向配布側コミュニケーションのための他のポートと、
上記ＯＮＵから上記ＰＯＮターミナルまでの上流側信号経路に設置されるリピータとを備え、
ＯＮＵからの上流側信号は、上記スターカプラを通過することなく、上記リピータにより受信され、上記リピータはそれぞれの上流側信号を再生可能とし、かつその波長を変更可能とすることを特徴とするＰＯＮシステムのための信号カプラ。
【請求項２】
切り離された下流側と上流側の波長は、供給側で使用され、光学マルチプレクサは、波長を切り離し、結合するために提供されることを特徴とする上記請求項１に記載の信号カプラ。
【請求項３】
光アイソレータは、上記リピータを回避する上流側トラフィックを供給側で防ぐために、マルチプレクサの下流にある下流側信号経路のカプラユニットで提供されることを特徴とする上記請求項２に記載の信号カプラ。
【請求項４】
上記下流側信号は、上記カプラユニットで再生されず、かつＯＮＵに受動的に通過されることを特徴とする上記請求項１乃至３のいずれか１項に記載の信号カプラ。
【請求項５】
上記ＰＯＮターミナルで複数の下流側および上流側波長チャンネルを通して供給側コミュニケーションのための少なくとも１つの第２スターカプラを更に備えることを特徴とする上記請求項１乃至４のいずれか１項に記載の信号カプラ。
【請求項６】
上記異なる波長は、インターリーブされることを特徴とする上記請求項５に記載の信号カプラ。
【請求項７】
配布側の上流側コミュニケーションを分割するためのマルチプレクサを備え、上記上流側コミュニケーションを受信し、かつリピータにそれらを手渡すためのレシーバアレイとマルチプレクサ（ＲＡＭ）とを備えることを特徴とする上記請求項１乃至６のいずれか１項に記載の信号カプラ。
【請求項８】
上記リピータは、信号カプラで追加信号処理機能を可能とする少なくとも１つの第２出力を更に備えることを特徴とする上記請求項１乃至７のいずれか１項に記載の信号カプラ。
【請求項９】
マルチモードファイバあるいはポリマファイバが配布側で使用されることを特徴とする上記請求項１乃至８のいずれか１項に記載の信号カプラ。
【請求項１０】
ＯＬＴと、上記ＯＬＴから上記請求項１乃至９のいずれか１項に記載の信号カプラの第１ポートまで延長する供給側ファイバと、信号カプラの配布側に光学的に接続された複数のＯＮＵとを備えるＰＯＮシステム。
【請求項１１】
それぞれのＯＮＵが低仕様の上流側レーザ／ＬＥＤ送信機を備える上記請求項１０に記載のＰＯＮシステム。
【請求項１２】
ＰＯＮターミナルと複数のＯＮＵとの間での双方向コミュニケーションを結合し、
カプラを通過しないＯＮＵから上流の信号を受信し、
上流信号の波長を再生しかつ変更することを特徴とするＰＯＮシステムの信号結合方法。
【請求項１３】
ＰＯＮターミナルと双方向供給側コミュニケーションのための第１ポートと、
スターカプラと、
それぞれの複数の遠隔ＯＮＵでの双方向配布側コミュニケーションのための他のポートと、
上記ＯＮＵからの上流側信号を受信し、それぞれの上流側信号を再生し、その波長を変化させるために、上記ＯＮＵから上記ＰＯＮターミナルまでの上流側信号経路に設置されるリピータとを備え、
上記リピータは、ＯＮＵへの配布のために下流方向のスターカプラへの再生された上流側信号を射出可能とすることを特徴とするＰＯＮシステムの信号カプラ。
【請求項１４】
上記リピータは、さらに再生された上流側信号を供給側へ送信可能とすることを特徴とする上記請求項１３に記載の信号カプラ。
【請求項１５】
切り離された下流側と上流側の波長は、供給側で使用され、光学マルチプレクサは、波長を切り離し、結合するために提供されることを特徴とする上記請求項１３あるいは請求項１４のいずれか１項に記載の信号カプラ。
【請求項１６】
光アイソレータは、上記リピータを回避する上流側トラフィックを供給側で防ぐために、マルチプレクサの下流である下流側信号経路のカプラユニットで提供されることを特徴とする上記請求項１５に記載の信号カプラ。
【請求項１７】
上記下流側信号は、上記カプラユニットで再生されず、かつＯＮＵに受動的に通過されることを特徴とする上記請求項１３乃至１６のいずれか１項に記載の信号カプラ。
【請求項１８】
上記ＰＯＮターミナルで複数の下流側および上流側波長チャンネルを通して供給側コミュニケーションのための少なくとも１つの第２スターカプラを更に具備することを特徴とする上記請求項１２乃至１７の何れか１項に記載の信号カプラ。
【請求項１９】
上記異なる波長は、インターリーブされることを特徴とする上記請求項１８に記載の信号カプラ。
【請求項２０】
配布側の上流側コミュニケーションを分割するためのマルチプレクサを備え、上記上流側コミュニケーションを受信し、かつリピータにそれらを手渡すためのレシーバアレイとマルチプレクサ（ＲＡＭ）とを備えることを特徴とする上記請求項１３乃至１９のいずれか１項に記載の信号カプラ。
【請求項２１】
上記リピータは、信号カプラで追加信号処理機能を可能とする少なくとも１つの第２出力を更に備えることを特徴とする上記請求項１３乃至２０のいずれか１項に記載の信号カプラ。
【請求項２２】
マルチモードファイバあるいはポリマファイバが配布側で使用されることを特徴とする上記請求項１３乃至２１のいずれか１項に記載の信号カプラ。
【請求項２３】
ＯＬＴと、上記ＯＬＴから上記請求項１３乃至２２のいずれか１項に記載の信号カプラの第１ポートまで延長する供給側ファイバと、信号カプラの配布側に光学的に接続された複数のＯＮＵとを備えることを特徴とするＰＯＮシステム。
【請求項２４】
それぞれのＯＮＵが低仕様の上流側レーザ／ＬＥＤ送信機を備えることを特徴とする上記請求項２３に記載のＰＯＮシステム。
【請求項２５】
ＯＮＵ機能がＬＡＮを形成することを特徴とする上記請求項２３あるいは請求項２４に記載のＰＯＮシステム。
【請求項２６】
ＯＮＵがそれぞれ、ＥＰＯＮ  ＬＡＮを形成するＣＳＭＡ／ＣＤユニットを備えることを特徴とする上記請求項２５に記載のＰＯＮシステム。
【請求項２７】
ＰＯＮターミナルと複数のＯＮＵとの間の双方向コミュニケーションを結合し、
ＯＮＵから上流信号を受信し、
再生された上流信号を生成するために上流信号の波長を再生しかつ変化し、
複数のＯＮＵの配布のために下流方向に再生する上流信号を射出することを特徴とするＰＯＮシステムの信号を結合する方法。
【発明の詳細な説明】
【技術分野】
【０００１】
本発明は、受動的光学ネットワークシステムのカプラユニットに係わり、特にカプラユニットに関連する加入者光学ネットワークユニット（ＯＮＵ）の必須の機能を単純化するカプラユニットに関する。更に、本発明は、ＯＬＴ、カプラユニット及びＯＮＵを具備するＰＯＮシステムに関する。
【背景技術】
【０００２】
ＰＯＮは、最初１９８０年代後半に出現し、費用効果の優れたファイバトゥザホームを提供することを期待された。ＰＯＮシステムは、典型的に、センタハブでの光学ラインターミナル（ＯＬＴ）と、センタハブからカプラユニットへの長い距離を拡張する単一供給側ファイバと、それぞれのカプラユニットの周りに集まる多くの遠隔加入者光学ネットワークユニット（ＯＮＵ）とが想定される。それぞれのカプラユニットは、一般的に、ＯＬＴからそれぞれのＯＮＵに接続されているＮファイバまで１つの供給側ファイバを接続させる１×Ｎのスターカプラを具備する。しかしながら、大規模なＰＯＮシステムは、それぞれの加入者で必要とされ、かつ高価なレーザ送信機を具備する、加入者光学ネットワークユニットの高コストにより今日まで妨げられている。
【発明の開示】
【発明が解決しようとする課題】
【０００３】
本発明の明細書に具備される文書、行動、物質、装置、項目あるいはその種の他の物の議論は、単に本発明の文脈を提供する目的のものである。そしてそれがこの出願のそれぞれの請求項の優先日前に存在したため、これらの問題のいずれかあるいは全てが先行技術に基づく部分を形成するか、あるいは本発明に関連する分野の一般知識であるということの承認とされることにはなりません。
【０００４】
この明細書を通して、「comprise」の単語、あるいは「comprises」または「comprising」のようなバリエーションは、定められた要素、整数あるいは段階、あるいは要素のグループ、整数あるいは段階を包含した意味を含み、その他の要素、整数あるいは段階、あるいは要素のグループ、整数あるいは段階を除く意味ではないことが理解される。
【課題を解決するための手段】
【０００５】
第１の態様によれば、本発明は、ＰＯＮターミナルでの双方向供給側コミュニケーションのための第１ポートと、スターカプラと、それぞれの複数の遠隔ＯＮＵでの双方向配布側コミュニケーションのための他のポートとを有するＰＯＮシステムのための信号カプラを提供する。信号カプラは、上記ＯＮＵから上記ＰＯＮターミナルまでの上流側信号経路に設置されるリピータも具備する。ＯＮＵからの上流側信号は、上記スターカプラを通過することなく、上記リピータにより受信され、上記リピータはそれぞれの上流側信号を再生可能とし、かつその波長を変更可能とする。
【０００６】
第２の態様によれば、本発明は、ＰＯＮターミナルと複数のＯＮＵとの間での双方向コミュニケーションを結合し、カプラを通過しないＯＮＵから上流の信号を受信し、上流信号の波長を再生しかつ変更するＰＯＮシステムの信号結合方法を提供する。
【０００７】
本発明の第１および第２の態様の実施形態は、それぞれのＯＮＵ送信機が上流信号がスターカプラと最高何十キロメートルもの供給側ファイバについて交渉する十分な電力を出力する必要を排除する。例えば、２０ｋｍの供給側ファイバが更に１０ｄＢの損失を与える可能性がある一方で、スターカプラを通過する上流信号は１５ｄＢの損失を受ける可能性がある。本発明において、上流信号がスターカプラかあるいは供給側ファイバを通過する前にリピータが上流信号を再生させ、スターカプラ損失とフィーダファイバ損失は、上流のＯＮＵ送信機の必須のパワー量から除かれる。従って、ＯＮＵ送信機電力必要条件は、大幅に減少することができ、例えばこれらの実施形態では、２５ｄＢ減少できる。本発明の第１および第２の態様の実施形態は、このように上流送信のそれぞれのＯＮＵで低コスト光源の使用を可能にする。
【０００８】
第３の態様によれば、本発明は、ＯＬＴと、本発明の第１態様によるＯＬＴから信号カプラまで拡張する供給側ファイバと、光学的に信号カプラに接続している複数のＯＮＵを提供する。
【０００９】
第４の態様によれば、本発明は、ＰＯＮターミナルと双方向供給側コミュニケーションのための第１ポートと、スターカプラと、複数のそれぞれの遠隔ＯＮＵのそれぞれと双方向配布側コミュニケーションのための他のポートとを有するＰＯＮシステムのための信号カプラを備える。信号カプラも、ＯＮＵからＰＯＮターミナルまでの上流信号経路に設置されるリピータを具備する。
【００１０】
第５の態様によれば、本発明は、ＰＯＮターミナルと複数のＯＮＵとの間の双方向コミュニケーションを結合し、ＯＮＵからの上流信号を受信し、再生された上流信号を生成するために、上流信号の波長を再生しかつ変化し、複数のＯＮＵへの配布のための下流方向への再生された上流信号のリピータは、ＯＮＵに配布のために下流の方向を噴射することを特徴とするＰＯＮシステムのカップリング信号の方法を提供する。
【００１１】
第４の態様と第５の態様の実施形態は、例えば、ＣＳＭＡ／ＣＤ  ＥＰＯＮ  ＬＡＮのようなＬＡＮの実施を可能とする可能性がある。それぞれのＯＮＵは、例えば、ここに参照として取り入れられる内容である国際特許公報ＷＯ０３／０１５３１６号に開示された形式のＣＳＭＡ／ＣＤユニットを採用する可能性がある。下流方向で再生される信号の再噴射の前に、上流方向で受信されるＬＡＮ信号の再生により、第４及び第５の態様による実施形態は、更なるＬＡＮを実行する際の低電力ＯＮＵ送信機の使用を許容する。上流信号は、信号カプラのスターカプラを通過することなくリピータにより受信される可能性があり、あるいは代わりに、信号カプラのスターカプラを通過した後に、リピータにより受信される可能性がある。
【００１２】
第６の態様によれば、本発明は、ＯＬＴと、本発明の第４の態様によるＯＬＴから信号カプラまで拡張する供給側ファイバと、光学的に信号カプラに接続される複数のＯＮＵとを提供する。
【００１３】
リピータの利用は、例えば０．８／１．３／１．５５μｍＶＣＳＥＬベース送信機のような、低電力で低コストの光学送信機を使用する加入者の光学ネットワークユニット（ＯＮＵ）のより低コストの実施の可能性を提供する。加入者ユニットの結合された節減は、カプラユニットでのリピータのコストを大いに上回る可能性がある。その結果、家または机設備へのファイバは、現在と将来のインターネットを指向するアクセスネットワークと企業ネットワークに、経済的に適当になる可能性がある。本発明は、前述されたように従来のＰＯＮシステムと互換性を有し、下流及び上流両方の送信のために、従来のＰＯＮファイバプラントを使用する。
【００１４】
カプラユニットは、供給側で別々の下流と上流の波長を使用する可能性があり、光学マルチプレクサは、それらの波長を切り離し結合するために、使用する可能性がある。
【００１５】
下流信号は、カプラユニットで再生される必要はなく、ＯＮＵまで受動的に通過される可能性がある。その結果、下流チャンネルは、リピータのいずれかの変化なしでもグレードアップされることができる。さらに、カプラは単にリピータを従来のカプラ装置に交換することにより、従来のＰＯＮ機能に簡単に戻すことを可能とする。
【００１６】
光アイソレータは、リピータを通過することにより上流トラフィックを妨げる供給側において、マルチプレクサの下流である下流側信号経路でカプラユニットに提供される可能性がある。
【００１７】
さらに光学マルチプレクサと複数のスターカプラは、ＰＯＮターミナルでもう１つのマルチプレクサで複数の下流と上流の波長チャンネルを越えて、供給側コミュニケーションのためのカプラユニットで提供される可能性がある。異なる波長は、インターリーブされる可能性がある。
【００１８】
追加のマルチプレクサは、配布側の上流側コミュニケーションを分割するカプラユニットに位置する可能性があり、そしてレシーバアレイとマルチプレクサ（ＲＡＭ）は、上流の通信を受信し、リピータにそれらを渡すために使用される可能性がある。
【００１９】
更なる出力は、例えば光学ＣＳＭＡ／ＣＤ、光学投票、光学ＬＡＮ、マルチプレクシング、診断、信号処理とＭＡＣプロトコルのようなカプラユニットで追加の信号処理機能を可能にするために、リピータ上で提供される可能性がある。
【００２０】
マルチモードファイバあるいはポリマファイバは、システムに、他の光学ＬＡＮアプリケーションだけでなくファイバトゥザホームあるいはデスクトップのための建築物の既存のファイバ構造基盤と高度に互換性を有させるＰＯＮシステムの分配側部分で使用させることを可能とする。上流アクセス速度は、需要の成長とともに、コスト効果が高くグレードアップされることができる。
【００２１】
上流の経路には低損失あるので、ＰＯＮシステムの供給側部分の上流送信は、カプラユニットで低仕様の上流のレーザ／ＬＥＤ送信機を使用することを可能とする。
【発明の効果】
【００２２】
本発明は非対称デジタル加入者回線（ＡＤＳＬ）、あるいはファイバトゥザカーブ（ＦＴＴＣ）に基づく超高速度デジタル加入者回線（ＶＤＳＬ）に代わるのに使用される可能性がある。現在の銅溶液は、長さとデータ信号速度で制限される（１５Ｍｂ／ｓで最高１．５ｋｍ、あるいは５２Ｍｂ／ｓで最高３００ｍ）。本発明は、非常に低コストでより高いバンド幅とより長い距離を提供することが可能であり、典型的非対称のアクセストラフィックパターンと、将来１．２５Ｇｂ／ｓへのアップグレードを考慮して、どんな銅溶液よりでも効率的である。本発明は、ファイバトゥザデスクトップ（ＦＴＴＤ）のためのスターカプラとリピータによる現在のアクティブハブに置き換えることにより企業網に適用されることも可能とする。
【００２３】
本出願は、２００４年９月１７日出願のオーストラリアの暫定特許出願２００４９０５３８７号から優先券を主張し、その内容は参照によりここに取り入れられる。本発明の例は、ここに添付の図面に関して記述される。
【発明を実施するための最良の形態】
【００２４】
まず、図１において、受動的光学ネットワークＰＯＮ１０は、単一下流送信機１４を有する光学ラインターミナル１２と、単一上流受信機１６と、粗い波長分割マルチプレクサ１８とから構成される。
【００２５】
カプラユニット２０は、ラインターミナル１２から離れて配置され、供給側ポート２１は、単一供給側ファイバ２２によりターミナル１２に接続される。多く（Ｎ）の光学ネットワークユニット３０は、カプラユニット２０の周りに集まり、配布側ポート２３は、それぞれの配布側ファイバ２４によりそれぞれのネットワークユニット３０に接続される。配布側ファイバ２４は、一般的に長さ２、３キロメートルでしかない。カプラユニット筐体２０は、粗い波長分割マルチプレクサ２６と、光アイソレータ２７と、光学リピータ２８と、単一の２×Ｎ光学スターカプラ２９と、リピータのための電力レギュレーション回路（図示せず）を具備する。電力の需要のため、筐体は、通常、バッテリバックアップで商業電力ラインへのアクセスのために、加入者建築物の近隣あるいは内部にインストールされる。
【００２６】
それぞれのネットワークユニット３０は、単一の低電力上流送信機３２と、単一下流受信機３４と、粗い波長分割マルチプレクサ３６とを有する。上流送信機３２は、１．３〜１．５μｍ波長のＩｎＰベースファブリーペロー、あるいは分配フィードバック（ＤＦＢ）レーザダイオードより非常に低コストで大量生産アイテムである、０．８ｐｍ波長のＧａＡｓベース垂直空洞表面照射レーザ（ＶＣＳＥＬ）である。適当な代替品は、将来の市場に出現されることが期待されるＩｎＰベースＶＣＳＥＬである可能性があるが、しかしそれらは原価と信頼性に関してＧａＡｓベースＶＣＳＥＬのものを改善しそうにない。ＧａＡｓとＩｎＰベース発光ダイオード（ＬＥＤ）も、適当である可能性があり、これらは大量生産品でもあり、安価で市場においてすぐに利用もできる。
【００２７】
ＧａＡｓとＩｎＰベースＶＣＳＥＬあるいはＧａＡｓとＩｎＰベースＬＥＤは、ＦＴＴＨの加入者当りのコストを下げ、信頼できるＯＮＵ送信機の低コスト製作を可能にする。
【００２８】
２つの異なる波長、λｄとλｕは、それぞれ下流と上流の送信機に割り当てられる。異なる上流波長λｕ２とλｕ１は、ＰＯＮ１０の供給側および配布側部分でそれぞれ使用される。
【００２９】
粗い波長分割マルチプレクサ１８と３６は、ターミナル１０と加入者ユニット３０でこれらの波長を結合し、切り離すのに使用される。ターミナル１０で、マルチプレクサ１８は、λｄとλＵ２に切り離し、ネットワークユニット３０で、マルチプレクサ３６は、λｄとλｕ１に切り離す。
【００３０】
カプラユニット２０の位置に設置される光リピータ２８は、単に入力上流λｕ１光学信号を電気信号に変換して、次いで電気信号を異なる波長λｕ２で光学信号へ変換する。リピータは、すでに使用され、内部でその送受信端を結合する、従来のトランスポンダのようである。リピータ２８は信号をクリーンにするために機能し、結果として、加入者ネットワークユニットで、低電力と低コスト送信機の使用を許容する。
【００３１】
単一のＩｎＰベースＦＰレーザ、ＤＦＢレーザ、あるいはＶＣＳＥＬは、上流信号をＰＯＮの供給側部分に押し込むために、リピータ２８の実施に使用される。光学出力の必要条件は、供給側光学リンクが損失性のスターカプラを具備しないので、従来のネットワークユニット送信機ほど高くない。
【００３２】
ここで、図２を参照して、大きなＰＯＮシステムのコストは、供給側で更なる多重化技術を導入することにより、さらに減少させることが可能である。光学マルチプレクサ（ＯＭＵＸ）は、屋外の設備（筐体）の温度変化の間、機能し続けるのに十分な、例えば２０ｎｍの広いチャンネル空間を有する。４チャンネルＯＭＵＸ４０は、２台の１×Ｎカプラ２９と共にカプラユニット２０の中に設置され、もう１台のＯＭＵＸ４２は、ターミナル１２に設置される。ＯＭＵＸは、同時に多重化しかつ非多重化し、供給側で４つのチャンネルλ１，λ２，λ３，λ４、すなわち２台のスターカプラの各々の下流および上流チャンネルを提供する。単一供給側ファイバ２２だけが、まだ存在する。
【００３３】
配布側において、各々のスターカプラは、異なる下流側波長を使用する。例えば、カプラ２９は、２つの異なるネットワークユニット３０と通信するために、λ１とλ２を使用することが示される。しかし、特定のスターカプラ２９に接続される全てのネットワークユニットは、上流コミュニケーションのためにλｕを使用する。スターカプラ２９において、上流経路のリピータ２８は、配布側で上流送信の波長を配布側λｕから供給側のλ２に変化する。
【００３４】
異なるカプラユニットλ２とλ４からの上流の波長は、光学反射、レイリーバック散乱、ファイバ非線形性等の影響を最小にするためにインターリーブされる。波長が、同じ波長帯あるいは異なる波長帯の中にある可能性がある。さらに、同じスターカプラとリピータへの、およびからの、下流および上流の波長が並んであるように、波長は配置されることができる。供給側リンクは、アプリケーションにより、ツリー、リング、バス等のような１種類の異なるネットワークを使用して実装される可能性がある。
【００３５】
ここで、図３において、極めて低出力のネットワークユニット送信機３２の代替実施形態は、スターカプラ２９に達する前に上流の光（波長λｕ１）を取り出すために、カプラユニット２０の近辺でそれぞれ配布側ファイバ上でさらなる粗い波長分割マルチプレクサ５０を使用する。引き出された光は、レシーバアレイおよびマルチプレクサ（ＲＡＭ）５２において、光検出アレイあるいはＮ個別検出器で検出される。上流の光は、その後波長λｕ２で単一チャンネルの上流チャンネルに、一緒に結合される。多重化は、光電気変換の直後に電気領域で、あるいはビットまたはパケットレベルのデジタル通信処理によってなされることが可能である。現段階では、パケット電力レベルは、光学ラインターミナルにおいてレシーバにより見られるダイナミックレンジを減少するために、同じ値に自動的に調節することができる。
【００３６】
最後に、図４において、信号処理は、他の機能を実施するために、光学あるいは電子領域で、カプラユニット２０で行われる可能性がある。これを達成するために、リピータ２８は、２台の送信機つまり上流送信のための１台と光学ＣＳＭＡ／ＣＤおよびローカルエリアネットワークのような他のアプリケーションのためのもう１台とを備えている。リピータは、他の機能を実施するために、電子信号処理モジュールを具備する可能性がある。
【００３７】
多くの変形例や修正が、広く説明される発明の精神あるいは範囲から逸脱することなく特定の実施形態で示される発明になされることが可能であることは当業者により認められる。本実施形態は、したがって、あらゆる点で実例であり制限的でないものである。
【図面の簡単な説明】
【００３８】
【図１】ＰＯＮシステムの概略図である。
【図２】変形ＰＯＮシステムの概略図である。
【図３】代替ＰＯＮシステムの概略図である。
【図４】ＰＯＮシステムの関連アプリケーションの概略図である。
【符号の説明】
【００３９】
１０  受動的光学ネットワークＰＯＮ
１２  光学ラインターミナル
１４  下流送信機
１６  上流受信機
１８  粗い波長分割マルチプレクサ
２０  カプラユニット
２１  供給側ポート
２２  供給側ファイバ
２３  配布側ポート
２４  配布側ファイバ
２６  粗い波長分割マルチプレクサ
２７  光アイソレータ
２８  光学リピータ
２９  光学スターカプラ
３０  ネットワークユニット
３２  低電力上流送信機
３４  下流受信機
３６  粗い波長分割マルチプレクサ
【図１】
2008514057.tif 000003
【図２】
2008514057.tif 000004
【図３】
2008514057.tif 000005
【図４】
2008514057.tif 000006
【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
ＰＯＮターミナルでの双方向供給側コミュニケーションのための第１ポートと、
スターカプラと、
それぞれの複数の遠隔ＯＮＵでの双方向配布側コミュニケーションのための他のポートと、
上記ＯＮＵから上記ＰＯＮターミナルまでの上流側信号経路に設置されるリピータとを備え、
ＯＮＵからの上流側信号は、上記スターカプラを通過することなく、上記リピータにより受信され、上記リピータはそれぞれの上流側信号を再生可能とし、かつその波長を変更可能とすることを特徴とするＰＯＮシステムのための信号カプラ。
【請求項２】
切り離された下流側と上流側の波長は、供給側で使用され、光学マルチプレクサは、波長を切り離し、結合するために提供されることを特徴とする上記請求項１に記載の信号カプラ。
【請求項３】
光アイソレータは、上記リピータを回避する上流側トラフィックを供給側で防ぐために、マルチプレクサの下流にある下流側信号経路のカプラユニットで提供されることを特徴とする上記請求項２に記載の信号カプラ。
【請求項４】
上記下流側信号は、上記カプラユニットで再生されず、かつＯＮＵに受動的に通過されることを特徴とする上記請求項１乃至３のいずれか１項に記載の信号カプラ。
【請求項５】
上記ＰＯＮターミナルで複数の下流側および上流側波長チャンネルを通して供給側コミュニケーションのための少なくとも１つの第２スターカプラを更に備えることを特徴とする上記請求項１乃至４のいずれか１項に記載の信号カプラ。
【請求項６】
上記異なる波長は、インターリーブされることを特徴とする上記請求項５に記載の信号カプラ。
【請求項７】
配布側の上流側コミュニケーションを分割するためのマルチプレクサを備え、上記上流側コミュニケーションを受信し、かつリピータにそれらを手渡すためのレシーバアレイとマルチプレクサ（ＲＡＭ）とを備えることを特徴とする上記請求項１乃至６のいずれか１項に記載の信号カプラ。
【請求項８】
上記リピータは、信号カプラで追加信号処理機能を可能とする少なくとも１つの第２出力を更に備えることを特徴とする上記請求項１乃至７のいずれか１項に記載の信号カプラ。
【請求項９】
マルチモードファイバあるいはポリマファイバが配布側で使用されることを特徴とする上記請求項１乃至８のいずれか１項に記載の信号カプラ。
【請求項１０】
ＯＬＴと、上記ＯＬＴから上記請求項１乃至９のいずれか１項に記載の信号カプラの第１ポートまで延長する供給側ファイバと、信号カプラの配布側に光学的に接続された複数のＯＮＵとを備えるＰＯＮシステム。
【請求項１１】
それぞれのＯＮＵが低仕様の上流側レーザ／ＬＥＤ送信機を備える上記請求項１０に記載のＰＯＮシステム。
【請求項１２】
ＰＯＮターミナルと複数のＯＮＵとの間での双方向コミュニケーションを結合し、
カプラを通過しないＯＮＵから上流の信号を受信し、
上流信号の波長を再生しかつ変更し、
上記ＰＯＮターミナルとの上記２つの供給側コミュニケーションは第１ポートを介することを特徴とするＰＯＮシステムの信号結合方法。
【請求項１３】
ＰＯＮターミナルと双方向供給側コミュニケーションのための第１ポートと、
スターカプラと、
それぞれの複数の遠隔ＯＮＵでの双方向配布側コミュニケーションのための他のポートと、
上記ＯＮＵからの上流側信号を受信し、それぞれの上流側信号を再生し、その波長を変化させるために、上記ＯＮＵから上記ＰＯＮターミナルまでの上流側信号経路に設置されるリピータとを備え、
上記リピータは、ＯＮＵへの配布のために下流方向のスターカプラへの再生された上流側信号を射出可能とすることを特徴とするＰＯＮシステムの信号カプラ。
【請求項１４】
上記リピータは、さらに再生された上流側信号を供給側へ送信可能とすることを特徴とする上記請求項１３に記載の信号カプラ。
【請求項１５】
切り離された下流側と上流側の波長は、供給側で使用され、光学マルチプレクサは、波長を切り離し、結合するために提供されることを特徴とする上記請求項１３あるいは請求項１４のいずれか１項に記載の信号カプラ。
【請求項１６】
光アイソレータは、上記リピータを回避する上流側トラフィックを供給側で防ぐために、マルチプレクサの下流である下流側信号経路のカプラユニットで提供されることを特徴とする上記請求項１５に記載の信号カプラ。
【請求項１７】
上記下流側信号は、上記カプラユニットで再生されず、かつＯＮＵに受動的に通過されることを特徴とする上記請求項１３乃至１６のいずれか１項に記載の信号カプラ。
【請求項１８】
上記ＰＯＮターミナルで複数の下流側および上流側波長チャンネルを通して供給側コミュニケーションのための少なくとも１つの第２スターカプラを更に具備することを特徴とする上記請求項１２乃至１７の何れか１項に記載の信号カプラ。
【請求項１９】
上記異なる波長は、インターリーブされることを特徴とする上記請求項１８に記載の信号カプラ。
【請求項２０】
配布側の上流側コミュニケーションを分割するためのマルチプレクサを備え、上記上流側コミュニケーションを受信し、かつリピータにそれらを手渡すためのレシーバアレイとマルチプレクサ（ＲＡＭ）とを備えることを特徴とする上記請求項１３乃至１９のいずれか１項に記載の信号カプラ。
【請求項２１】
上記リピータは、信号カプラで追加信号処理機能を可能とする少なくとも１つの第２出力を更に備えることを特徴とする上記請求項１３乃至２０のいずれか１項に記載の信号カプラ。
【請求項２２】
マルチモードファイバあるいはポリマファイバが配布側で使用されることを特徴とする上記請求項１３乃至２１のいずれか１項に記載の信号カプラ。
【請求項２３】
ＯＬＴと、上記ＯＬＴから上記請求項１３乃至２２のいずれか１項に記載の信号カプラの第１ポートまで延長する供給側ファイバと、信号カプラの配布側に光学的に接続された複数のＯＮＵとを備えることを特徴とするＰＯＮシステム。
【請求項２４】
それぞれのＯＮＵが低仕様の上流側レーザ／ＬＥＤ送信機を備えることを特徴とする上記請求項２３に記載のＰＯＮシステム。
【請求項２５】
ＯＮＵ機能がＬＡＮを形成することを特徴とする上記請求項２３あるいは請求項２４に記載のＰＯＮシステム。
【請求項２６】
ＯＮＵがそれぞれ、ＥＰＯＮ  ＬＡＮを形成するＣＳＭＡ／ＣＤユニットを備えることを特徴とする上記請求項２５に記載のＰＯＮシステム。
【請求項２７】
ＰＯＮターミナルと複数のＯＮＵとの間の双方向コミュニケーションを結合し、
ＯＮＵから上流信号を受信し、
再生された上流信号を生成するために上流信号の波長を再生しかつ変化し、
複数のＯＮＵの配布のために下流方向に再生する上流信号を射出することを特徴とするＰＯＮシステムの信号を結合する方法。
【手続補正２】
【補正対象書類名】明細書
【補正対象項目名】０００６
【補正方法】変更
【補正の内容】
【０００６】
第２の態様によれば、本発明は、ＰＯＮターミナルと複数のＯＮＵとの間での双方向コミュニケーションを結合し、カプラを通過しないＯＮＵから上流の信号を受信し、上流信号の波長を再生しかつ変更し、上記ＰＯＮターミナルとの双方向供給側コミュニケーションは、第１ポートを介することを特徴とするＰＯＮシステムの信号結合方法を提供する。
【手続補正書】
【提出日】平成18年7月17日(2006.7.17)
【手続補正１】
【補正対象書類名】特許請求の範囲
【補正対象項目名】全文
【補正方法】変更
【補正の内容】
【特許請求の範囲】
【請求項１】
ＰＯＮターミナルでの双方向供給側コミュニケーションのための第１ポートと、
スターカプラと、
それぞれの複数の遠隔ＯＮＵでの双方向配布側コミュニケーションのための他のポートと、
上記ＯＮＵから上記ＰＯＮターミナルまでの上流側信号経路に設置されるリピータとを備え、
ＯＮＵからの上流側信号は、上記スターカプラを通過することなく、上記リピータにより受信され、上記リピータはそれぞれの上流側信号を再生可能とし、かつその波長を変更可能とすることを特徴とするＰＯＮシステムのための信号カプラ。
【請求項２】
切り離された下流側と上流側の波長は、供給側で使用され、光学マルチプレクサは、波長を切り離し、結合するために提供されることを特徴とする上記請求項１に記載の信号カプラ。
【請求項３】
光アイソレータは、上記リピータを回避する上流側トラフィックを供給側で防ぐために、マルチプレクサの下流にある下流側信号経路のカプラユニットで提供されることを特徴とする上記請求項２に記載の信号カプラ。
【請求項４】
上記下流側信号は、上記カプラユニットで再生されず、かつＯＮＵに受動的に通過されることを特徴とする上記請求項１乃至３のいずれか１項に記載の信号カプラ。
【請求項５】
上記ＰＯＮターミナルで複数の下流側および上流側波長チャンネルを通して供給側コミュニケーションのための少なくとも１つの第２スターカプラを更に備えることを特徴とする上記請求項１乃至４のいずれか１項に記載の信号カプラ。
【請求項６】
上記異なる波長は、インターリーブされることを特徴とする上記請求項５に記載の信号カプラ。
【請求項７】
配布側の上流側コミュニケーションを分割するためのマルチプレクサを備え、上記上流側コミュニケーションを受信し、かつリピータにそれらを手渡すためのレシーバアレイとマルチプレクサ（ＲＡＭ）とを備えることを特徴とする上記請求項１乃至６のいずれか１項に記載の信号カプラ。
【請求項８】
上記リピータは、信号カプラで追加信号処理機能を可能とする少なくとも１つの第２出力を更に備えることを特徴とする上記請求項１乃至７のいずれか１項に記載の信号カプラ。
【請求項９】
マルチモードファイバあるいはポリマファイバが配布側で使用されることを特徴とする上記請求項１乃至８のいずれか１項に記載の信号カプラ。
【請求項１０】
ＯＬＴと、上記ＯＬＴから上記請求項１乃至９のいずれか１項に記載の信号カプラの第１ポートまで延長する供給側ファイバと、信号カプラの配布側に光学的に接続された複数のＯＮＵとを備えるＰＯＮシステム。
【請求項１１】
それぞれのＯＮＵが低仕様の上流側レーザ／ＬＥＤ送信機を備える上記請求項１０に記載のＰＯＮシステム。
【請求項１２】
ＰＯＮターミナルと複数のＯＮＵとの間での双方向コミュニケーションを結合し、
カプラを通過しないＯＮＵから上流の信号を受信し、
上流信号の波長を再生しかつ変更し、
上記ＰＯＮターミナルとの上記２つの供給側コミュニケーションは第１ポートを介することを特徴とするＰＯＮシステムの信号結合方法。
【請求項１３】
ＰＯＮターミナルと双方向供給側コミュニケーションのための第１ポートと、
スターカプラと、
それぞれの複数の遠隔ＯＮＵでの双方向配布側コミュニケーションのための他のポートと、
上記ＯＮＵからの上流側信号を受信し、それぞれの上流側信号を再生し、その波長を変化させるために、上記ＯＮＵから上記ＰＯＮターミナルまでの上流側信号経路に設置されるリピータとを備え、
上記リピータは、ＯＮＵへの配布のために下流方向のスターカプラへの再生された上流側信号を射出可能とすることを特徴とするＰＯＮシステムの信号カプラ。
【請求項１４】
上記リピータは、さらに再生された上流側信号を供給側へ送信可能とすることを特徴とする上記請求項１３に記載の信号カプラ。
【請求項１５】
切り離された下流側と上流側の波長は、供給側で使用され、光学マルチプレクサは、波長を切り離し、結合するために提供されることを特徴とする上記請求項１３あるいは請求項１４のいずれか１項に記載の信号カプラ。
【請求項１６】
光アイソレータは、上記リピータを回避する上流側トラフィックを供給側で防ぐために、マルチプレクサの下流である下流側信号経路のカプラユニットで提供されることを特徴とする上記請求項１５に記載の信号カプラ。
【請求項１７】
上記下流側信号は、上記カプラユニットで再生されず、かつＯＮＵに受動的に通過されることを特徴とする上記請求項１３乃至１６のいずれか１項に記載の信号カプラ。
【請求項１８】
上記ＰＯＮターミナルで複数の下流側および上流側波長チャンネルを通して供給側コミュニケーションのための少なくとも１つの第２スターカプラを更に具備することを特徴とする上記請求項１２乃至１７の何れか１項に記載の信号カプラ。
【請求項１９】
上記異なる波長は、インターリーブされることを特徴とする上記請求項１８に記載の信号カプラ。
【請求項２０】
配布側の上流側コミュニケーションを分割するためのマルチプレクサを備え、上記上流側コミュニケーションを受信し、かつリピータにそれらを手渡すためのレシーバアレイとマルチプレクサ（ＲＡＭ）とを備えることを特徴とする上記請求項１３乃至１９のいずれか１項に記載の信号カプラ。
【請求項２１】
上記リピータは、信号カプラで追加信号処理機能を可能とする少なくとも１つの第２出力を更に備えることを特徴とする上記請求項１３乃至２０のいずれか１項に記載の信号カプラ。
【請求項２２】
マルチモードファイバあるいはポリマファイバが配布側で使用されることを特徴とする上記請求項１３乃至２１のいずれか１項に記載の信号カプラ。
【請求項２３】
ＯＬＴと、上記ＯＬＴから上記請求項１３乃至２２のいずれか１項に記載の信号カプラの第１ポートまで延長する供給側ファイバと、信号カプラの配布側に光学的に接続された複数のＯＮＵとを備えることを特徴とするＰＯＮシステム。
【請求項２４】
それぞれのＯＮＵが低仕様の上流側レーザ／ＬＥＤ送信機を備えることを特徴とする上記請求項２３に記載のＰＯＮシステム。
【請求項２５】
ＯＮＵ機能がＬＡＮを形成することを特徴とする上記請求項２３あるいは請求項２４に記載のＰＯＮシステム。
【請求項２６】
ＯＮＵがそれぞれ、ＥＰＯＮ  ＬＡＮを形成するＣＳＭＡ／ＣＤユニットを備えることを特徴とする上記請求項２５に記載のＰＯＮシステム。
【請求項２７】
ＰＯＮターミナルと複数のＯＮＵとの間の双方向コミュニケーションを結合し、
ＯＮＵから上流信号を受信し、
再生された上流信号を生成するために上流信号の波長を再生しかつ変化し、
複数のＯＮＵの配布のために下流方向に再生する上流信号を射出することを特徴とするＰＯＮシステムの信号を結合する方法。
【請求項２８】
ＰＯＮターミナルと双方向供給側コミュニケーションのための第１ポートと、
単一の上流波長を分割するそれぞれの複数の遠隔ＯＮＵとマルチモードファイバを介して双方向配布側コミュニケーションのための他のポートと、
上記ＯＮＵから上記ＰＯＮターミナルまでの上流側信号経路に設置されるリピータとを備え、上記リピータは、上記分割された上流波長で上流信号を再生可能とすることを特徴とするＰＯＮシステムの信号カプラ。
【請求項２９】
切り離された下流側と上流側の波長は、供給側で使用され、光学マルチプレクサは、波長を切り離し、結合するために提供されることを特徴とする上記請求項２８に記載の信号カプラ。
【請求項３０】
上記下流側信号は、上記カプラユニットで再生されず、加入者ネットワークユニットを介して送信されることを特徴とする上記請求項２８あるいは２９に記載の信号カプラ。
【請求項３１】
光アイソレータは、上記リピータを回避する上流側トラフィックを供給側で防ぐために、マルチプレクサの下流である下流側信号経路のカプラユニットで提供されることを特徴とする上記請求項２８乃至３０のいずれか１項に記載の信号カプラ。
【請求項３２】
更なる光学マルチプレクサと複数のスターカプラは上記ＰＯＮターミナルでもう１つのマルチプレクサと複数の下流側及び上流側の波長チャンネルを介して供給側コミュニケーションのためのカプラユニットで提供されることを特徴とする上記請求項２９に従うときの上記請求項２９乃至３１のいずれか１項に記載の信号カプラ。
【請求項３３】
上記異なる波長は、インターリーブされることを特徴とする上記請求項３２に記載の信号カプラ。
【請求項３４】
上記追加のマルチプレクサは上記分配側の分割している上流コミュニケーションのためのカプラユニットで配置され、レシーバアレイとマルチプレクサ（ＲＡＭ）は、上流側コミュニケーションを受信しそれらを上記リピータに渡すために使用されることを特徴とする上記請求項２８乃至３３のいずれか１項に記載の信号カプラ。
【請求項３５】
追加出力は、上記カプラユニットで機能性を処理する追加信号を可能とするためにリピータ上に提供されることを特徴とする上記請求項２８乃至３４のいずれか１項に記載の信号カプラ。
【請求項３６】
低機能上流レーザ／ＬＥＤ送信機は上記カプラユニットで提供されることを特徴とする上記請求項２８乃至３５のいずれか１項に記載の信号カプラ。
【請求項３７】
上記リピータは、波長を変更することなく上流波長で信号を再生することを特徴とする上位請求項２８乃至３６のいずれか１項に記載の信号カプラ。
【国際調査報告】
2008514057.tif 000007
2008514057.tif 000008
2008514057.tif 000009